(57)【要約】【課題】  回路ユニットの後面側に設けられた外部接続用コネクタとのケーブル接続を、設置環境の影響を受けずに容易に行うことができるようにする。【解決手段】  配線接続ユニット２は、回路ユニット１の外部接続用コネクタ１１に接続される中継用コネクタ３と、外部機器との接続に用いられる外部接続用コネクタ４と、中継用コネクタ３と外部接続用コネクタ４とを結ぶケーブル５と、これらの取り付けられた取付板６とを備えている。取付板６は、シャーシ６１の前端部にサブパネル６２を備えて構成されている。サブパネル６２は、シャーシ６１の前縁部から裏方向に向けて伸びている。外部接続用コネクタ４は、サブパネル６２に形成された取付孔６５の周縁部にネジ止めされている。ケーブル５は、シャーシ６１の裏面に取り付けられたクリップ６６に固定され、中継用コネクタ３の取り付けられた他端をシャーシ６１の後方に位置させている。【選択図】図２
2009099295.tif 000002
【特許請求の範囲】
【請求項１】
ラックに収納される回路ユニットの後面側に配置された外部接続用コネクタに接続される中継用コネクタと、
前記中継用コネクタと配線接続された外部接続用コネクタと、
前記外部接続用コネクタを前面側に、前記中継用コネクタを後面側にそれぞれ備えて、前記回路ユニットの側面に取り付けられる取付部材とを備えることを特徴とする配線接続ユニット。
【発明の詳細な説明】
【技術分野】
【０００１】
本発明は、ラックに収納される回路ユニットが備える外部接続用コネクタと外部機器との接続に用いられる配線接続ユニットに関するものである。
【背景技術】
【０００２】
従来、下記の特許文献１に示すように、ラックキャビネット等のラックには、筐体に回路を内蔵した回路ユニットが収納される。この種の回路ユニットは、四角箱状の筐体から外部に臨む外部接続用コネクタを介して、内蔵した回路が外部機器と接続される。
【０００３】
一般的に、回路ユニットは、棚板に収納された状態でラックキャビネットに収納される。棚板は、前側に回路ユニットの収納口が開口した四角箱状を呈しており、収納口から前面を臨ませた回路ユニットが、左右の幅方向に沿って複数収納される。各回路ユニットを収納した棚板は、収納口を備える前面を前方に向けて、ラックキャビネットに収納される。このため、ラックキャビネットに収納された各回路ユニットは、後面を後方に向け、前面を前方に向けている。
【０００４】
【特許文献１】特開２００３−１５２３４５号公報
【発明の開示】
【発明が解決しようとする課題】
【０００５】
回路ユニットには、内部回路が発生させる高周波や信号がクロストークを引き起こすのを避ける等の理由により、筐体の後面側に外部接続用コネクタを備えているものがある。この種の回路ユニットを用いる場合には、従来、棚板の後面に設けられた開口部を通して、ラックキャビネットの後面側から、外部接続用コネクタに対するケーブルの着脱が行われていた。
【０００６】
このため、作業者は、ラックキャビネットの後面側に回り込んだり、ラックキャビネットを移動させて後面側に作業スペースを設けて、ケーブルの着脱を行う必要があり、作業が煩雑であった。しかも、ラックキャビネットの後面側に十分な作業スペースを確保できない場合や、棚板やラックキャビネットの強度確保のために棚板の後面に十分な開口部を設けることができない場合には、ケーブルの着脱を行えずに使用が制限されることもあった。
【０００７】
本発明は斯かる課題に鑑みてなされたもので、上記課題を解決できる配線接続ユニットを提供することを目的とする。
【課題を解決するための手段】
【０００８】
このような目的を達成するために、本発明の配線接続ユニットは、ラックに収納される回路ユニットの後面側に配置された外部接続用コネクタに接続される中継用コネクタと、前記中継用コネクタと配線接続された外部接続用コネクタと、前記外部接続用コネクタを前面側に、前記中継用コネクタを後面側にそれぞれ備えて、前記回路ユニットの側面に取り付けられる取付部材とを備えることを特徴とする。
【発明の効果】
【０００９】
本発明によれば、回路ユニットの後面側に設けられた外部接続用コネクタとのケーブル接続を、設置環境の影響を受けずに容易に行うことができる。
【発明を実施するための最良の形態】
【００１０】
以下、図面を参照して、本発明の最良の形態について説明する。
図１は、本実施形態の配線接続ユニット２が用いられる回路ユニット１の斜視図であり、（ａ）は前方からの斜視図，（ｂ）は後方からの斜視図である。図２は、本実施形態の配線接続ユニット２の斜視図であり、（ａ）は前方からの斜視図，（ｂ）は後方からの斜視図である。なお、以下の説明で用いる前後，左右，上下の各方向は説明に用いる各図に示している。
【００１１】
まず、本実施形態の配線接続ユニット２が用いられる回路ユニット１について説明する。回路ユニット１は、四角箱状の筐体に回路を内蔵しており、図１（ｂ）に示すように、後面には外部接続用コネクタ１１が配設されている。外部接続用コネクタ１１は、内蔵回路と図示しない外部機器とを接続するためのものであり、後面の上端側から下端側にかけて、等間隔で複数配設されている。
【００１２】
また、回路ユニット１の後面には、後述する棚板７が備える端子７７（図５参照）との接続に用いられる接続端子１２が設けられている。また、図１（ａ），（ｂ）に示すように、前面及び後面には、通風口１３が設けられている。また、上面及び下面には、後述する棚板７が備えるレール７６（図５参照）に嵌め込まれるスライダ１４が設けられている。回路ユニット１の前面には、図１（ａ）に示すように、装飾用の前面パネル１５が設けられている。前面パネル１５には、開口部１５ａが設けられており、この開口部１５ａからは通風口１３が前方を臨んでいる。
【００１３】
図２に示すように、配線接続ユニット２は、回路ユニット１の外部接続用コネクタ１１に接続される中継用コネクタ３と、外部との接続に用いられる外部接続用コネクタ４と、中継用コネクタ３と外部接続用コネクタ４とを結ぶケーブル５と、これらの取り付けられた取付板６とを備えており、図１に示す回路ユニット１の左側面に取り付けられ、回路ユニット１と一体となって用いられる。
【００１４】
取付板６は、シャーシ６１の前端部にサブパネル６２を備えて構成されている。シャーシ６１は、配線接続ユニット２が取り付けられる回路ユニット１の左側面とほぼ同じ高さ及び奥行きを有しており、上縁部及び下縁部にはそれぞれ取付片６３が備えられている。シャーシ６１の上縁部の取付片６３は、シャーシ６１の裏面に対して略直角に折れ曲がってシャーシ６１の裏方向に伸びた後、上方に向けて略直角に折れ曲がって先端部を上方に向けている。また、下縁部の取付片６３は、シャーシ６１の裏面に対して略直角に折れ曲がってシャーシ６１の裏方向に伸びた後、略直角に折れ曲がって先端部を下方に向けている。
【００１５】
各取付片６３の先端部には、回路ユニット１に対するネジ止めに用いられるネジの挿通孔６４が、前端部及び後端部に１つずつ設けられている。シャーシ６１の裏面の後端側には、ケーブル５を固定する固定部材としてクリップ６６が取り付けられている。クリップ６６は、ケーブル５の挟持方向を上方に向けて取り付けられ、シャーシ６１の上端側から下端側にかけて、外部接続用コネクタ４と同じ数だけ、等間隔で一列に配列されている。
【００１６】
サブパネル６２は、回路ユニット１が備える前面パネル１５とほぼ等しい高さを有した矩形の板状体から構成されている。サブパネル６２は、シャーシ６１の前縁部から略直角に折れ曲がり、シャーシ６１の裏方向に向けて、裏方向へ向けた取付片６３の延伸長さとほぼ同じ長さだけ伸びている。サブパネル６２及びシャーシ６１は、一枚の板状体に加工を施すことにより、互いが一体に形成されている。
【００１７】
サブパネル６２には、外部接続用コネクタ４を取り付けるための取付孔６５が形成されている。取付孔６５は、サブパネル６２の上端側から下端側にかけて、外部接続用コネクタ４と同じ数だけ、等間隔で一列に配列されている。
【００１８】
外部接続用コネクタ４は、回路ユニット１が備える外部接続用コネクタ１１と同じコネクタから構成されている。外部接続用コネクタ４は、外周面に形成された雄ネジ部（不図示）を先端側から取付孔６５に挿通させた後に先端側からナット４１を螺着し、同じく外周面に形成されて雄ネジ部の後方に位置する当接部（不図示）とナット４１とで取付孔６５の周縁部を前側及び後側から挟み込むことにより、取付孔６５の周縁部に取り付けられている。
【００１９】
中継用コネクタ３は、回路ユニット１に接続される外部機器が備えるコネクタと同じコネクタから構成されている。ケーブル５は、外部接続用コネクタ４の取り付けられた一端と、中継用コネクタ３の取り付けられた他端とを結ぶ長さ方向の中央部を、クリップ６６で固定されている。
【００２０】
次に、配線接続ユニット２を用いて、ラックキャビネット（図６，図７参照）に収納された回路ユニット１と外部機器とを接続する方法について説明する。図３は、本実施形態の配線接続ユニット２と回路ユニット１とを示す図であり、（ａ）はｓ前方からの斜視図，（ｂ）は後方からの斜視図である。図４は、回路ユニット１に取り付けられた配線接続ユニット２を示す図であり、（ａ）は前方からの斜視図，（ｂ）は後方からの斜視図である。
【００２１】
まず、回路ユニット１に配線接続ユニット２を取り付ける。この作業では、まず、図３に示すように、サブパネル６２が回路ユニット１の前面パネル１５と並んでその前面を前方に向け、回路ユニット１の左側面の四隅に１つずつ形成された各ネジ孔１６と各挿通孔６４とが一致するように、シャーシ６１の各屈曲片６３の背面を、回路ユニット１の左側面の上縁部及び下縁部に合わせる。この作業により、回路ユニット１の左側面が配線接続ユニット２のシャーシ６１で覆われる。
【００２２】
次に、シャーシ６１の各屈曲片６３に形成された挿通孔６４に表面側から挿通させたネジを、回路ユニット１の左側面の各ネジ孔１６に螺着する。この作業により、図４（ａ）に示すように、サブパネル６２の前面を回路ユニット１が備える前面パネル１５の前面と並べて、回路ユニット１の左側面に配線接続ユニット２が取り付けられる。後方を向いて開口する配線接続ユニット２のシャーシ６１と回路ユニット１の左側面との隙間からは、先端に中継用コネクタ３を取り付けられたケーブル５が引き出されている。
【００２３】
このようにして、回路ユニット１に配線接続ユニット２を取り付けた後、シャーシ６１の後方に引き出された中継用コネクタ３を、図４（ｂ）に示すように回路ユニット１の後面に設けられた外部接続用コネクタ４に接続する。この作業により、サブパネル６２の前面から前方を臨んだ配線接続ユニット２の外部接続用コネクタ４と、回路ユニット１の外部接続用コネクタ１１とが、ケーブル５及び中継用コネクタ３を介して接続される。これにより、回路ユニット１の内蔵回路に対して、配線接続ユニット２の外部接続用コネクタ４を介して外部機器を接続できるようになる。
【００２４】
次に、配線接続ユニット２を取り付けた回路ユニット１を、棚板７に収納する。図５は、配線接続ユニット２が取り付けられた回路ユニット１と棚板７との前方からの斜視図である。
【００２５】
回路ユニット１を収納する棚板７は、図５に示すように、前側の全面に亘って開口した回路ユニット１の収納口７１と、後面の上側の約半分に開口したケーブルの着脱口７２とを備えた四角箱状を呈しており、左右の幅方向に沿って複数の回路ユニット１が収納される。棚板７は天板部７３及び底板部７４の内面に前側から後側に掛けて延びる一対のレール７６を、各回路ユニット１の収納位置毎に備えている。また、後面の下側の約半分を覆う後板部７５の内面には、回路ユニット１が備える接続端子１２に接続される端子７７が備えられている。各端子７７は、後板部７５内で互いが配線接続されており、端子７７に接続された各回路ユニット１が互いに接続される。
【００２６】
回路ユニット１の棚板７への収納作業は、回路ユニット１を、図５に矢印で示すように、棚板７の収納口７１に後面側から進入させて、回路ユニット１のスライダ１４を棚板７が備えるレール７６に嵌め込んだ後、把持部１５ｃを把持して回路ユニット１を後方に押し込むことにより行われる。この操作により、回路ユニット１の後面に設けられた接続端子１２が、棚板７の後板部７５の端子７７に接続され、回路ユニット１が棚板７に収納される。
【００２７】
次に、前面パネル１５の上端部及び下端部に設けられたネジ部材１５ｂを棚板７の収納口７１の上縁及び下縁に形成されたネジ孔７８に螺着する。このようにして、回路ユニット１が棚板７に収納される。棚板７に収納された回路ユニット１は、前面パネル１５を前方に向けている。また、回路ユニット１に取り付けられた配線接続ユニット２は、前面パネル１５と並んで前方を向いたサブパネル６２から外部接続用コネクタ４を前方に臨ませている。また、回路ユニット１の外部接続用コネクタ１１に接続された中継用コネクタ３を、棚板７の後板部７５の上方の着脱口７２から後方に臨ませている（図６参照）。
【００２８】
次に、回路ユニット１を収納した棚板７を、ラックキャビネット８に収納する。図６は、回路ユニット１が収納された棚板７を、ラックキャビネット８の後方から収納する状態を示した斜視図である。図７は、棚板７が収納されたラックキャビネット８の後方からの斜視図である。
【００２９】
図６に示すように、ラックキャビネット８は、底板部８１の左右の両側部から上方に延びる複数の支柱８２で、天板部８３を支持して構成された四角箱形の枠体である。ラックキャビネット８の左右に並んだ各支柱８２間には、支持片８４が掛け渡されて各支柱８２の内側面に固定され、ラックキャビネット８の前後方向に延びている。左右の各支柱８２に挟まれたラックキャビネット８の前面側は、棚板７の収納口８５となっている。棚板７は、向かい合った左右の両支持片８４に、底板部７４の左右の両側部を支持されて、ラックキャビネット８に収納される。
【００３０】
ラックキャビネット８に棚板７を収納する際には、まず、図６に矢印で示すように、棚板７をラックキャビネット８の収納口８５に後面側から進入させ、ラックキャビネット８が備える一対の支持片８４上に載置する。次いで、棚板７の収納口７１の左右の縁部に設けられたネジ孔７９に挿通させたネジを、収納口８５の周縁部となる支柱８２の前面に設けられたネジ孔（不図示）に螺着することにより、図７に示すように、棚板７をラックキャビネット８に固定する。このようにして、ラックキャビネット８に対する棚板７の取り付けが行われる。
【００３１】
ラックキャビネット８に棚板７が収納された状態で、回路ユニット１が備える前面パネル１５と共に前方を向いた配線接続ユニット２のサブパネル６２は、ラックキャビネット８の収納口８５から外部接続用コネクタ４を前方に臨ませている。このため、配線接続ユニット２の備える外部接続用コネクタ４には、ラックキャビネット８の収納口８５及び棚板７の収納口７１を通して、対となるコネクタを接続することができる。
【００３２】
以上説明したように、本実施形態の配線接続ユニット２によれば、回路ユニット１と前後方向を揃えて回路ユニット１に配線接続ユニット２を取り付け、配線接続ユニット２の後面側に備えられた中継用コネクタ３を、回路ユニット１の後面側の外部接続用コネクタ１１に接続することにより、配線接続ユニット２の前面側に備えられた外部接続用コネクタ４を介して、回路ユニット１の外部接続用コネクタ１１に、外部機器のコネクタを接続することができる。このため、棚板７やラックキャビネット８に収納された回路ユニット１に対しても、棚板７の収納口７１やラックキャビネット８の収納口８５を通して、前方から外部機器の接続を行うことができる。
【００３３】
従って、回路ユニット１の後面側に備えられた外部接続用コネクタ１１に外部機器を接続する際、ラックキャビネット８の後面側に回り込んだり、ラックキャビネット８を移動させて後面側に作業スペースを設ける手間を省くことができ、回路ユニット１に対するケーブルの着脱作業を簡略化することができる。しかも、ラックキャビネット８の後面側に十分な作業スペースを確保できない場合や、棚板７やラックキャビネット８の強度確保のために棚板７の後面に十分な大きさの開口の収納口７１を設けることができない場合でも、棚板７及びラックキャビネット８の前側からケーブルの着脱を行うことができる。従って、回路ユニット１の後面側に設けられた外部接続用コネクタ１１とのケーブル接続を、設置環境の影響を受けずに容易に行うことができる。
【００３４】
また、コネクタ３，４をケーブル５で接続して取付板６に取り付けるという簡単な作業で配線接続ユニット２を作成できること、また、回路ユニット１や棚板７やラックキャビネット８の構成や設置環境に与える影響を抑えられることから、低コストで回路ユニット１に汎用性を付与することができる。また、ケーブル５で接続された１対のコネクタ３，４を１枚の板状体を加工して得られた取付板６に取り付けて、配線接続ユニット２が構成されていることから、配線接続ユニット２と一体化した回路ユニット１の重量増加も抑えることができる。
【００３５】
上記実施形態では、配線接続ユニット２を回路ユニット１にネジ止めして取り付けた場合について説明した。しかしながら、配線接続ユニット２の回路ユニット１への取付方法はネジ止めに限らず、例えば、回路ユニット１及び配線接続ユニット２の何れかに備えられたフックを、他方に設けられた孔等の係止部に係止させてもよい。図９及び図１０に示す例では、図１０に拡大して示すように、配線接続ユニット２には、シャーシ６１の上縁部及び下縁部にシャーシ６１の裏方向に延びるフック６４０を一対ずつ設け、回路ユニット１にはフック６４０の係止される係止孔１６０を設けている。フック６４０は、シャーシ６１の裏方向に延びる矢印形の平板に、先端から基端側（シャーシ６１側）にかけて、平板の中央部に位置して延びるスリット６４ａを設けた形状を呈している。フック６４０は、スリット６４ａを挟んだ両側片がスリット６４ａ側に撓むことにより、係止孔１６０内を挿通する。なお、この例では、シャーシ６１の上縁部及び下縁部に、シャーシ６１の裏面に対して略直角に折れ曲がってシャーシ６１の裏方向に伸びる取付片６３０が設けられており、この取付片６３０の裏側端部にフック６４０が設けられている。
【００３６】
また、外部接続用コネクタ４のサブパネル６２への取付方法は任意であり、例えば、図８に示すように、サブパネル６２の一縁部に円弧状の正面形状を有する切り欠き６５ａを設け、この切り欠き６５ａに外部接続用コネクタ４を嵌合させることにより、外部接続用コネクタ４をサブパネル６２に取り付ける構成としてもよい。また、図９に拡大して示すように、取付孔６５に挿通させた外部接続用コネクタ４の先端部に、プッシュナット４１０を嵌合させることにより、外部接続用コネクタ４をサブパネル６２に取り付けてもよい。また、外部接続用コネクタ４は、取付対象となる回路ユニット１の外部接続用コネクタ１１と対になるコネクタとの接続に用いることができるのであれば、必ずしも外部接続用コネクタ１１と同じコネクタである必要はない。また、中継用コネクタ３は、取付対象となる回路ユニット１の外部接続用コネクタ１１に接続して用いることができるのであれば、必ずしも外部機器が備えるコネクタと同じコネクタである必要はない。また、ケーブル５の固定部材としては、クリップ６６の他にクランプを用いることもでき、シャーシ６１への固定部材の取付方法も任意である。
【００３７】
中継用コネクタ３と外部接続用コネクタ４とを配線接続する方法は任意であり、ケーブル５を用いる方法の他に、プリント配線基板を用いることもできる。また、ケーブル５は、同軸ケーブルや信号用ケーブル等、回路ユニット１に応じた種類のものを選択して用いることができ、中継用コネクタ３や外部接続用コネクタ４も回路ユニット１やケーブル５に応じたものを選択して用いることができる。図９及び図１０には、回路ユニット１の外部接続用コネクタ１１の他に接続端子１２も、外部機器と接続する場合の配線接続ユニット２の構成の一例が示されている。同図に示す例では、シャーシ６１の裏面に沿って延びるプリント配線基板５０の前端側に前面接続コネクタ４０が接続され、後端側に後面接続コネクタ３０が接続されている。前面接続コネクタ４０は、外部接続用コネクタ４と共にサブパネル６２に取り付けられており、外部機器との接続に用いられる。また、後面接続コネクタ３０は、シャーシ６１の裏面の後端部からシャーシ６１の裏面側に延びる取付片６７に取り付けられており、接続端子１２との接続に用いられる。なお、図９及び図１０に示す例では、接続端子１２との接続をプリント配線基板５０を用いて行っていたが、外部接続用コネクタ１１との接続をプリント配線基板を用いて行うことも可能である。
【００３８】
また、シャーシ６１や取付片６３の形状や形成位置は、取付対象となる回路ユニット１の形状や棚板７への配置態様等に応じて、適宜変更して差し支えない。また、中継用コネクタ３の取付板６への取付方法は、ケーブル５をシャーシ６１に固定することにより中継用コネクタ３を取付板６に取り付けるものに限らず、中継用コネクタ３を取付板６に直接取り付ける構成としてもよい。このような構成の場合、ケーブル５は必ずしもシャーシ６１に固定する必要はない。
【００３９】
また、配線接続ユニット２の取付位置は、回路ユニット１の左側面に限らず、右側面でもよい。また、回路ユニット１の上面側に配線接続ユニット２の取付スペースを確保できるのであれば、回路ユニット１の上面に取り付ける構成としてもよい。
【００４０】
以上、本発明の実施形態について説明したが、本発明の実施態様としては、以下のものを挙げることができる。
実施態様１の配線接続ユニットは、ラックに収納される回路ユニットの後面側に配置された外部接続用コネクタに接続される中継用コネクタと、前記中継用コネクタと配線接続された外部接続用コネクタと、前記外部接続用コネクタを前面側に、前記中継用コネクタを後面側にそれぞれ備えて、前記回路ユニットの側面に取り付けられる取付部材とを備えることを特徴とする。
また、実施態様２の配線接続ユニットは、実施態様１において、前記取付部材が、１枚の板体から構成され、前記板体の前縁部で屈曲したサブパネルに前記外部接続用コネクタの着脱部が設けられていることを特徴とする。着脱部としては、上記取付孔６５及び切り欠き６５ａの少なくとも一方を用いることができる。
また、実施態様３の配線接続ユニットは、実施態様１又は２において、前記着脱部が、前記サブパネルに形成された取付孔から構成されており、前記外部接続用コネクタが備える雄ネジ部に螺着された雌ねじ部材と、前記外部接続用コネクタに設けられた当接部とで、前記取付孔の周縁部を挟み込むことにより、前記外部接続用コネクタが前記サブパネルに装着されていることを特徴とする。
また、実施態様４の配線接続ユニットは、実施態様１から３の何れかにおいて、前記取付部材が、前記板体の縁部を屈曲させて形成され、前記回路ユニットに螺着されて取り付けられる取付片を備えていることを特徴とする。
また、実施態様５の回路ユニットは、実施態様１から４の何れかの配線接続ユニットを、前記配線接続ユニットが備える前記外部接続用コネクタを前方に向けて取り付けられ、後面側に設けられた外部接続用コネクタに前記配線接続ユニットの前記中継用コネクタが接続されて、前記配線接続ユニットと一体化していることを特徴とする。
また、実施態様６の回路ユニットの収納体は、前記配線接続ユニットが備える前記外部接続用コネクタを前面開口部から臨ませて、上記実施態様５の回路ユニットを複数収納していることを特徴とする。
また、実施態様７の電子機器は、前記配線接続ユニットが備える前記外部接続用コネクタを前面開口部から臨ませて、上記実施態様６の収納体をラックに収納していることを特徴とする。
【図面の簡単な説明】
【００４１】
【図１】本発明の一実施形態の配線接続ユニットが用いられる回路ユニットの斜視図であり、（ａ）は前方からの斜視図，（ｂ）は後方からの斜視図である。
【図２】本発明の一実施形態の配線接続ユニットの斜視図であり、（ａ）は前方からの斜視図，（ｂ）は後方からの斜視図である。
【図３】回路ユニットに対する配線接続ユニットの取付方法を説明する斜視図である。
【図４】回路ユニットに取り付けられた配線接続ユニットの斜視図であり、（ａ）は前方からの斜視図，（ｂ）は後方からの斜視図である。
【図５】配線接続ユニットが取り付けられた回路ユニットと棚板との前方からの斜視図である。
【図６】回路ユニットが収納された棚板と、ラックキャビネットとの後方からの斜視図である。
【図７】棚板が収納されたラックキャビネットの後方からの斜視図である。
【図８】配線接続ユニットの第１の変形例を示す斜視図である。
【図９】配線接続ユニットの第２の変形例を示す前方からの斜視図である。
【図１０】配線接続ユニットの第２の変形例を示す後方からの斜視図である。
【符号の説明】
【００４２】
１      回路ユニット
１１    外部接続用コネクタ
２      配線接続ユニット
３      中継用コネクタ
４      外部接続用コネクタ
５      ケーブル
６      取付板
６１    シャーシ
６２    サブパネル
【図１】
2009099295.tif 000003
【図２】
2009099295.tif 000004
【図３】
2009099295.tif 000005
【図４】
2009099295.tif 000006
【図５】
2009099295.tif 000007
【図６】
2009099295.tif 000008
【図７】
2009099295.tif 000009
【図８】
2009099295.tif 000010
【図９】
2009099295.tif 000011
【図１０】
2009099295.tif 000012